(57)【要約】【課題】砕氷を削って製造した削氷をカップに投入できると共に砕氷をそのままカップに投入することもできるカップ自動販売機の削氷機を提供する。【解決手段】入口開口と切削刃と切削刃に隣接するスリットと底部に形成された出口開口と出口開口を開閉する蓋とを有する容器と、容器内に配設された回転翼とを備え、切削刃とスリットとは回転翼の径方向外方に配設されている。【選択図】  図１
2005042938.tif 000002
【特許請求の範囲】
【請求項１】
入口開口と切削刃と切削刃に隣接するスリットと底部に形成された出口開口と出口開口を開閉する蓋とを有する容器と、容器内に配設された回転翼とを備え、切削刃とスリットとは回転翼の径方向外方に配設されていることを特徴とする氷削機。
【請求項２】
入口開口と切削刃と切削刃に隣接するスリットとを有する容器と、容器の外側で容器の入口開口へ延びる第１案内路と、第１案内路の途上から分岐し容器の外側で延在する第２案内路と、第２案内路の分岐点に配設された揺動シャッターとを備え、切削刃とスリットとは回転翼の径方向外方に配設されていることを特徴とする氷削機。
【請求項３】
入口開口と切削刃と切削刃に隣接するスリットと出口開口とを有する容器と、容器内に配設された回転翼とを備え、切削刃とスリットとは回転翼の径方向外方に配設され、回転翼は切削刃の刃先から峰へ向かう第１回転方向と切削刃の峰から刃先へ向かう第２回転方向とへ回転可能であり、出口開口は第２回転方向に対する接線方向へ差し向けられていることを特徴とする氷削機。
【請求項４】
回転翼は水平軸線回りに回転することを特徴とする請求項１乃至３の何れか１項に記載の氷削機。
【請求項５】
回転翼は鉛直軸線回りに回転することを特徴とする請求項１乃至３の何れか１項に記載の氷削機。
【請求項６】
容器を水平に往復駆動する駆動装置を備えることを特徴とする請求項１乃至３の何れか１項に記載の氷削機。
【請求項７】
容器の下方に配設されたカップ保持具とカップ保持具を水平に往復駆動する駆動装置を備えることを特徴とする請求項１乃至３の何れか１項に記載の氷削機。
【請求項８】
回転翼は水平軸線回りに回転し、切削刃とスリットとは蓋に配設されていることを特徴とする請求項１に記載の氷削機。
【請求項９】
回転翼は鉛直軸線回りに回転し、切削刃とスリットとは容器の蓋を除く部位に配設され、蓋は上下に揺動可能であり、蓋が下方へ揺動して出口開口を開いた時に蓋はスリットへ接近する方向へ向けて下方へ傾斜することを特徴とする請求項１に記載の氷削機。
【請求項１０】
スリットを間に挟んで下方へ揺動した蓋に対峙し下方へ延びる案内板を備えることを特徴とする請求項９に記載の氷削機。
【請求項１１】
第２案内路の下流端はスリットの近傍に位置決めされていることを特徴とする請求項２に記載の氷削機。
【請求項１２】
容器の外側でスリットと第２案内路の下流端とに対峙し下方へ延びる第３案内路を備えることを特徴とする請求項１１に記載の氷削機。
【請求項１３】
回転翼は水平軸線回りに回転し、切削刃とスリットとは容器の底部に配設されていることを特徴とする請求項１２に記載の氷削機。
【請求項１４】
第１案内路と第２案内路と容器とが一体に組付けられていることを特徴とする請求項２、１１、１２、１３の何れか１項に記載の氷削機。
【請求項１５】
容器の外側で出口開口から延びる第４案内路を備え、第４案内路の下流端はスリットの近傍に位置決めされていることを特徴とする請求項３に記載の氷削機。
【請求項１６】
容器の外側でスリットと第４案内路の下流端とに対峙し下方へ延びる第５案内路を備えることを特徴とする請求項１５に記載の氷削機。
【請求項１７】
回転翼は水平軸線回りに回転し、切削刃とスリットとは容器の底部に配設され、出口開口は上方へ差し向けられていることを特徴とする請求項３、１５、１６の何れか１項に記載の氷削機。
【請求項１８】
カップ式自動販売機に取り付けられることを特徴とする請求項１乃至１７の何れか１項に記載の氷削機。
【発明の詳細な説明】
【０００１】
【発明の属する技術分野】
本発明は、カップ自動販売機等に利用可能な削氷機に関するものである。
【０００２】
【従来の技術】
製氷機で製造した砕氷と飲料とを攪拌混合したコールドドリンクを販売するカップ自動販売機が従来から使用されている。砕氷を削って製造した削氷と飲料とを攪拌混合したフローズンドリンクを製造する装置が特許文献１に開示されている。
【０００３】
【特許文献１】特開平１０−１７４５５６
【０００４】
【発明が解決しようとする課題】
カップ自動販売機でコールドドリンクとフローズンドリンクとを販売できれば、カップ自動販売機の利便性が向上する。しかし、係るカップ自動販売機は従来市場に提供されていなかった。
本発明は上記問題に鑑みてなされたものであり、砕氷を削って製造した削氷をカップに投入できると共に砕氷をそのままカップに投入することもできる削氷機を提供することを目的とする。
【０００５】
【課題を解決するための手段】
上記課題を解決するために、本発明においては、入口開口と切削刃と切削刃に隣接するスリットと底部に形成された出口開口と出口開口を開閉する蓋とを有する容器と、容器内に配設された回転翼とを備え、切削刃とスリットとは回転翼の径方向外方に配設されていることを特徴とする氷削機を提供する。
本発明に係る氷削機においては、削氷を製造してカップに投入する際には、蓋が閉鎖され、入口開口から砕氷が容器内に投入され、回転翼が回転し、遠心力により回転翼の径方向外方へ押し出されつつ容器内を回転する砕氷が切削刃によって切削され、スリットを通って容器の下方に置かれたカップに削氷が投入される。砕氷をカップに投入する際には、蓋が開かれ、入口開口から砕氷が容器内に投入され、回転翼が停止し、砕氷は切削されることなく回転翼の翼間隙間と出口開口とを通過し、容器の下方に置かれたカップに投入される。或いは、蓋が開かれ、入口開口から砕氷が容器内に投入され、回転翼が回転し、砕氷は切削されることなく回転翼の翼間隙間と出口開口とを通って、容器の下方に置かれたカップに投入される。
従って、本発明に係る削氷機は、砕氷を削って製造した削氷をカップに投入できると共に砕氷をそのままカップに投入することもできる。
【０００６】
本発明においては、入口開口と切削刃と切削刃に隣接するスリットとを有する容器と、容器の外側で容器の入口開口へ延びる第１案内路と、第１案内路の途上から分岐し容器の外側で延在する第２案内路と、第２案内路の分岐点に配設された揺動シャッターとを備え、切削刃とスリットとは回転翼の径方向外方に配設されていることを特徴とする氷削機を提供する。
本発明に係る氷削機においては、削氷を製造してカップに投入する際には、揺動シャッターにより第２案内路の上流端が閉鎖され、第１案内路と入口開口とを通って砕氷が容器内に投入され、回転翼が回転し、遠心力により回転翼の径方向外方へ押し出されつつ容器内を回転する砕氷が切削刃によって切削され、スリットを通って容器の下方に置かれたカップに削氷が投入される。
砕氷をカップに投入する際には、回転翼が停止し、揺動シャッターにより第２案内路の分岐点よりも下流の第１案内路が閉鎖され、前記分岐点よりも上流の第１案内路と第２案内路とを通って、容器の下方に置かれたカップに砕氷が投入される。
従って、本発明に係る削氷機は、砕氷を削って製造した削氷をカップに投入できると共に砕氷をそのままカップに投入することもできる。
【０００７】
本発明においては、入口開口と切削刃と切削刃に隣接するスリットと出口開口とを有する容器と、容器内に配設された回転翼とを備え、切削刃とスリットとは回転翼の径方向外方に配設され、回転翼は切削刃の刃先から峰へ向かう第１回転方向と切削刃の峰から刃先へ向かう第２回転方向とへ回転可能であり、出口開口は第２回転方向に対する接線方向へ差し向けられていることを特徴とする削氷機を提供する。
本発明に係る氷削機においては、削氷を製造してカップに投入する際には、入口開口を通って砕氷が容器内に投入され、回転翼が第１方向へ回転し、遠心力により回転翼の径方向外方へ押し出されつつ容器内を第１方向へ回転する砕氷が切削刃によって切削され、スリットを通って容器の下方に置かれたカップに削氷が投入される。出口開口は第１回転方向とは逆向きの接線方向へ指し向けられているので、第１回転方向へ回転する砕氷は出口開口を通って容器外へ排出されない。従って砕氷はカップに投入されない。
砕氷をカップに投入する際には、入口開口を通って砕氷が容器内に投入され、回転翼が第２方向へ回転し、遠心力により回転翼の径方向外方へ押し出されつつ容器内を回転する砕氷が切削刃によって切削されることなく、第２回転方向に対する接線方向へ差し向けられた出口開口を通って容器の下方に置かれたカップに投入される。
従って、本発明に係る削氷機は、砕氷を削って製造した削氷をカップに投入できると共に砕氷をそのままカップに投入することもできる。
【０００８】
本発明の好ましい態様においては、回転翼は水平軸線回りに回転する。
本発明の好ましい態様においては、回転翼は鉛直軸線回りに回転する。
回転翼は水平軸線回りに回転しても良く、或いは鉛直軸線回りに回転しても良い。
【０００９】
本発明の好ましい態様においては、氷削機は、容器を水平に往復駆動する駆動装置を備える。
本発明の好ましい態様においては、氷削機は、容器の下方に配設されたカップ保持具とカップ保持具を水平に往復駆動する駆動装置を備える。
削氷をカップに投入する際には、容器に投入された削氷が円錐状に堆積するのを防止するために、容器又はカップ保持具を水平に往復駆動するのが望ましい。
【００１０】
本発明の好ましい態様においては、回転翼は水平軸線回りに回転し、切削刃とスリットとは蓋に配設されている。
容器の底部に蓋を配設した削氷機において、回転翼を水平軸線回りに回転させる場合には、切削刃とスリットとを蓋に配設するのが望ましい。遠心力と重力とが相乗して砕氷を切削刃に押しつけるので、削氷効率が向上する。
【００１１】
本発明の好ましい態様においては、回転翼は鉛直軸線回りに回転し、切削刃とスリットとは容器の蓋を除く部位に配設され、蓋は上下に揺動可能であり、蓋が下方へ揺動して出口開口を開いた時に蓋はスリットへ接近する方向へ向けて下方へ傾斜する。
容器の底部に蓋を配設した削氷機において、回転翼を鉛直軸線回りに回転させる場合には、回転翼の径方向外方に配設される切削刃とスリットとは容器底部に配設される蓋以外の容器の部位に配設されることになる。この場合、蓋が下方へ揺動して出口開口を開いた時に蓋がスリットへ接近する方向へ向けて下方へ傾斜するように構成して、砕氷と削氷の排出位置を接近させるのが望ましい。切削刃が容器の側部に配設されることになるので、砕氷は遠心力のみにより切削刃に押し付けられる。この結果、砕氷を切削刃に押し付ける力が安定し、削氷の粒度分布が均一化する。
本発明の好ましい態様においては、氷削機は、スリットを間に挟んで下方へ揺動した蓋に対峙し下方へ延びる案内板を備える。
蓋の下縁から飛び出した砕氷が案内板に当たるので、容器の下方に置かれたカップに確実に砕氷が投入される。
【００１２】
本発明の好ましい態様においては、第２案内路の下流端はスリットの近傍に位置決めされている。
砕氷の排出位置と削氷の排出位置とは互いに接近させるのが望ましい。
本発明の好ましい態様においては、削氷機は、容器の外側でスリットと第２案内路の下流端とに対峙し下方へ延びる第３案内路を備える。
第３案内路の配設により、砕氷の排出口と削氷の排出口とが一致する。
本発明の好ましい態様においては、回転翼は水平軸線回りに回転し、切削刃とスリットとは容器の底部に配設されている。
回転翼を水平軸線回りに回転させる場合には、切削刃とスリットとを容器の底部に配設するのが望ましい。遠心力と重力とが相乗して砕氷を切削刃に押し付けるので、削氷効率が向上する。
本発明の好ましい態様においては、第１案内路と第２案内路と容器とが一体に組付けられている。
第１案内路と第２案内路と容器とを一体に組付けることにより、カップ自動販売機への削氷機取り付け作業が容易になる。
【００１３】
本発明の好ましい態様においては、削氷機は、容器の外側で出口開口から延びる第４案内路を備え、第４案内路の下流端はスリットの近傍に位置決めされている。
第４案内路を配設して、砕氷の排出位置を削氷の排出位置に接近させるのが望ましい。
本発明の好ましい態様においては、削氷機は、容器の外側でスリットと第４案内路の下流端とに対峙し下方へ延びる第５案内路を備える。
第５案内路の配設により、砕氷の排出口と削氷の排出口とが一致する。
本発明の好ましい態様においては、回転翼は水平軸線回りに回転し、切削刃とスリットとは容器の底部に配設され、出口開口は上方へ差し向けられている。
回転翼を水平軸線回りに回転させる場合には、切削刃とスリットとを容器の底部に配設するのが望ましい。遠心力と重力とが相乗して砕氷を切削刃に押し付けるので、削氷効率が向上する。出口開口を上方へ差し向けることにより、回転翼が第１方向へ回転する際に、砕氷が出口開口を通って容器から排出される事態の発生が完全に防止される。
【００１４】
本発明の好ましい態様においては、削氷機はカップ式自動販売機に取り付けられる。
本発明に係る削氷機をカップ式自動販売機に取り付けることにより、カップ自動販売機の利便性が向上する。
【００１５】
【発明の実施の形態】
本発明の第１実施例に係るカップ自動販売機の削氷機を説明する。
図１、２に示すように、削氷機Ａは横置円筒状の容器１を備えている。容器１の両端は閉鎖されている。容器１の上部に入口開口１ａが形成されている。入口開口１ａを取り囲む筒部１ｂが上方へ延びている。容器１の底部に出口開口１ｃが形成されている。出口開口１ｃを開閉する上下揺動可能な蓋２が容器１に取り付けられている。蓋２にスリット２ａが形成され、スリット２ａに隣接して蓋２に切削刃３が取り付けられている。容器１内に回転翼４が配設されている。回転翼４は容器１の中心軸線と同軸に延在する水平軸線回りに回転可能である。スリット２ａと切削刃３とは回転翼４の径方向外方に位置決めされている。蓋２を揺動駆動するモータ５と、回転翼４を回転駆動するモータ６とが配設されている。閉鎖状態の蓋２によりＯＮされる閉スイッチ７と開放状態の蓋２によりＯＮされる開スイッチ８とが配設されている。スイッチ７、８は、容器１から延びる図示しない支持腕に固定されている。
削氷機Ａは、図示しないカップ自動販売機に取り付けられており、且つ当該カップ自動販売機が備える製氷機１００の氷シュート１０１の直下に配設されている。筒部１ｂの上端が氷シュート１０１の下端に対峙している。容器１の下方に紙カップ１０２が置かれる。
【００１６】
削氷機Ａの作動を、図３のフローチャートを参照しつつ説明する。
製氷機１００は常時作動して砕氷を製造貯留している。カップ自動販売機が待機状態にあるとき、図１に示すように蓋２は閉鎖している。カップ自動販売機の販売釦がＯＮされると、製氷機１００から砕氷が排出され、氷シュート１０１と筒部１ｂと入口開口１ａとを通って容器１内に投入される。
ＯＮされた販売釦がフローズンドリンクの販売釦である場合には、モータ６が始動して回転翼４を図１の矢印方向へ回転駆動する。遠心力により回転翼４の径方向外方へ押し出されつつ容器１内を回転する砕氷が切削刃３によって切削され、削氷がスリット２ａを通って容器１の下方に置かれた紙カップ１０２に投入される。モータ６は所定時間作動した後停止する。
ＯＮされた販売釦がコールドドリンクの販売釦である場合には、モータ５が始動して蓋２を開方向へ揺動駆動する。開スイッチ８がＯＮするとモータ５が停止し、蓋２は図２に示す開放位置に保持される。モータ６が始動して回転翼４を図２の矢印方向へ回転駆動する。砕氷は切削されることなく回転翼４の翼間隙間と出口開口１ｃとを通って、容器１の下方に置かれた紙カップ１０２に投入される。モータ６は所定時間作動した後停止する。モータ５が始動し蓋２を閉方向へ揺動駆動する。蓋２が閉鎖され閉スイッチ７がＯＮするとモータ５は停止する。
【００１７】
上記説明から分かるように、削氷機Ａは、砕氷を削って製造した削氷を紙カップ１０２に投入できると共に砕氷をそのまま紙カップ１０２に投入することもできる。削氷機Ａをカップ式自動販売機に取り付けることにより、カップ自動販売機の利便性が向上する。
切削刃２とスリット２ａとが、容器１の底部に配設された蓋２に配設されているので、遠心力と重力とが相乗して砕氷を切削刃２に押し付ける。この結果、削氷効率が向上する。
【００１８】
本発明の第２実施例に係るカップ自動販売機の削氷機を説明する。
図４、５に示すように、削氷機Ｂは椀状の容器１１を備えている。容器１１の開放された上端が入口開口１１ａを形成している。容器１１の底部に出口開口１１ｃが形成されている。出口開口１１ｃを開閉する上下揺動可能な蓋１２が容器１１に取り付けられている。容器１１の蓋２以外の部位に、より具体的には容器１１の底部近傍の側部にスリット１１ｄが形成され、スリット１１ｄに隣接して容器１１に切削刃１３が取り付けられている。容器１１内に回転翼１４が配設されている。回転翼１４は鉛直軸線回りに回転可能である。スリット１１ｄと切削刃１３とは回転翼１４の径方向外方に位置決めされている。蓋１２を揺動駆動するモータ１５と、回転翼１４を回転駆動するモータ１６とが配設されている。閉鎖状態の蓋１２によりＯＮされる閉スイッチ１７と開放状態の蓋１２によりＯＮされる開スイッチ１８とが配設されている。スイッチ１７、１８は、容器１１から延びる図示しない支持腕に固定されている。
蓋１２が下方へ揺動して出口開口１１ｃを開いた時に、蓋１２はスリット１１ｄへ接近する方向へ向けて下方へ傾斜する。スリット１１ｄを間に挟んで下方へ揺動した蓋１２に対峙し下方へ延びる案内板１９が容器１１に取り付けられている。
削氷機Ｂは、図示しないカップ自動販売機に取り付けられており、且つ当該カップ自動販売機が備える製氷機１００の氷シュート１０１の直下に配設されている。容器１１の下方に紙カップ１０２が置かれる。
【００１９】
削氷機Ｂの作動を、図６のフローチャートを参照しつつ説明する。
製氷機１００は常時作動して砕氷を製造貯留している。カップ自動販売機が待機状態にあるとき、図４に示すように蓋１２は閉鎖している。カップ自動販売機の販売釦がＯＮされると、製氷機１００から砕氷が排出され、氷シュート１０１と入口開口１１ａとを通って容器１１内に投入される。
ＯＮされた販売釦がフローズンドリンクの販売釦である場合には、モータ１６が始動して回転翼１４を回転駆動する。遠心力により回転翼１４の径方向外方へ押し出されつつ容器１１内を回転する砕氷が切削刃１３によって切削され、削氷がスリット１１ｄを通って容器１１の下方に置かれた紙カップ１０２に投入される。モータ１６は所定時間作動した後停止する。
ＯＮされた販売釦がコールドドリンクの販売釦である場合には、モータ１５が始動して蓋１２を開方向へ揺動駆動する。開スイッチ１８がＯＮするとモータ１５が停止し、蓋１２は図５に示す開放位置に保持される。モータ１６が始動して削氷を製造する場合とは逆方向へ回転翼１４を回転駆動する。砕氷は切削されることなく回転翼１４の翼間隙間と出口開口１１ｃとを通って、容器１１の下方に置かれた紙カップ１０２に投入される。モータ１６は所定時間作動した後停止する。モータ１５が始動し蓋１２を閉方向へ揺動駆動する。蓋１２が閉鎖され閉スイッチ１７がＯＮするとモータ１５は停止する。
【００２０】
上記説明から分かるように、削氷機Ｂは、砕氷を削って製造した削氷を紙カップ１０２に投入できると共に砕氷をそのまま紙カップ１０２に投入することもできる。削氷機Ｂをカップ式自動販売機に取り付けることにより、カップ自動販売機の利便性が向上する。
切削刃１３が容器１１の側部に配設されるので、砕氷は遠心力のみにより切削刃１３に押し付けられる。この結果、砕氷を切削刃１３に押し付ける力が安定し、削氷の粒度分布が均一化する。
蓋１２が下方へ揺動して出口開口１１ｃを開いた時に、蓋１２がスリット１１ｄへ接近する方向へ向けて下方へ傾斜するので、砕氷と削氷の排出位置とが接近する。この結果、削氷を投入する場合と砕氷を投入する場合とで、紙カップ１０２を置く位置を変える必要が無くなり、カップ自動販売機の利便性が向上する。
蓋１２の下縁から飛び出した砕氷が案内板１９に当たるので、容器１１の下方に置かれた紙カップ１０２に確実に砕氷が投入される。
【００２１】
本発明の第３実施例に係るカップ自動販売機の削氷機を説明する。
図７、８に示すように、削氷機Ｃは横置円筒状の容器２１を備えている。容器２１の両端は閉鎖されている。容器２１の上部に入口開口２１ａが形成されている。入口開口２１ａを取り囲む筒部２１ｂが上方へ延びている。容器２１の底部にスリット２１ｄが形成され、スリット２１ｄに隣接して容器蓋２１に切削刃２３が取り付けられている。容器２１内に回転翼２４が配設されている。回転翼２４は容器２１の中心軸線と同軸に延在する水平軸線回りに回転可能である。スリット２１ｄと切削刃２３とは回転翼２４の径方向外方に位置決めされている。回転翼２４を回転駆動するモータ２５が配設されている。
削氷機Ｃは、容器２１の外側で入口開口２１ａへ向けて延びる第１案内路２６ａと、第１案内路２６ａの途上から分岐し容器２１の外側で延在する第２案内路２６ｂと、第２案内路２６ｂの分岐点に配設された揺動シャッター２７とを備えている。揺動シャッター２７ａを揺動駆動するモータ２８と、揺動シャッター２７が前記分岐点よりも下流の第１案内路２６ａを閉鎖するとＯＮする閉スイッチ２９ａと、揺動シャッター２７が第２案内路２６ｂを閉鎖するとＯＮする閉スイッチ２９ｂとが配設されている。第２案内路２６ｂの下流は、スリット２１ｄの近傍に位置決めされている。
削氷機Ｃは更に、容器２１の外側でスリット２１ｄと第２案内路２６ｂの下流端とに対峙し下方へ延びる第３案内路２６ｃを備えている。
削氷機Ｃは、図示しないカップ自動販売機に取り付けられており、且つ当該カップ自動販売機が備える製氷機１００の直下に配設されている。第１案内路２６ａが製氷機１００の氷排出口に接続している。容器２１の下方に且つ第３案内路２６ｃの直下に紙カップ１０２が置かれる。
【００２２】
削氷機Ｃの作動を、図９のフローチャートを参照しつつ説明する。
製氷機１００は常時作動して砕氷を製造貯留している。
カップ自動販売機のフローズンドリンク販売釦がＯＮされると、閉スイッチ２９ｂがＯＮしておらず揺動シャッター２７が第２案内路２６ｂを閉鎖していない場合にはモータ２８が始動して揺動シャッター２７を揺動駆動し、揺動シャッター２７が第２案内路２６ｂを閉鎖し閉スイッチ２９ｂがＯＮしてモータ２８が停止した後、閉スイッチ２９ｂがＯＮしており揺動シャッター２７が第２案内路２６ｂを閉鎖している場合には直ちに、製氷機１００から砕氷が排出され、氷シュート１０１と第１案内路２６ａと筒部２１ｂと入口開口２１ａとを通って砕氷が容器２１内に投入される。モータ２５が始動して回転翼２４を図７の矢印方向へ回転駆動する。遠心力により回転翼２４の径方向外方へ押し出されつつ容器２１内を回転する砕氷が切削刃２３によって切削され、スリット２１ｄを通って容器２１の下方に置かれた紙カップ１０２に削氷が投入される。モータ２５は所定時間作動して後停止する。
カップ自動販売機のコールドドリンク販売釦がＯＮされると、閉スイッチ２９ａがＯＮしておらず揺動シャッター２７が第２案内路２６ｂの分岐点よりも下流の第１案内路２６ａを閉鎖していない場合には、モータ２８が始動して揺動シャッター２７を揺動駆動し、揺動シャッター２７が第２案内路２６ｂの分岐点よりも下流の第１案内路２６ａを閉鎖し、閉スイッチ２９ａがＯＮしてモータ２８が停止した後、閉スイッチ２９ａがＯＮしており揺動シャッター２７が第２案内路２６ｂの分岐点よりも下流の第１案内路２６ａを閉鎖している場合には直ちに、製氷機１００から砕氷が排出され、シュート１０１と、前記分岐点よりも上流の第１案内路２６ａと第２案内路２６ｂとを通って、容器２１の下方に置かれた紙カップ１０２に砕氷が投入される。
【００２３】
上記説明から分かるように、削氷機Ｃは、砕氷を削って製造した削氷を紙カップ１０２に投入できると共に砕氷をそのまま紙カップ１０２に投入することもできる。削氷機Ｃをカップ式自動販売機に取り付けることにより、カップ自動販売機の利便性が向上する。
第２案内路２６ｂの下流は、スリット２１ｄの近傍に位置決めされているので、砕氷と削氷の排出位置とが接近する。この結果、削氷を投入する場合と砕氷を投入する場合とで、紙カップ１０２を置く位置を変える必要が無くなり、カップ自動販売機の利便性が向上する。
容器２１の外側でスリット２１ｄと第２案内路２６ｂの下流端とに対峙し下方へ延びる第３案内路２６ｃが配設されているので、砕氷の排出口と削氷の排出口とが一致する。この結果、削氷を投入する場合と砕氷を投入する場合とで、紙カップ１０２を置く位置を変える必要が完全に無くなり、カップ自動販売機の利便性が更に向上する。
切削刃２３とスリット２１ｄとが、容器２１の底部に配設されているので、遠心力と重力とが相乗して砕氷を切削刃２３に押し付ける。この結果、削氷効率が向上する。
【００２４】
本発明の第４実施例に係るカップ自動販売機の削氷機を説明する。
図１０、１１に示すように、削氷機Ｄは横置円筒状の容器３１を備えている。容器３１の両端は閉鎖されている。容器３１の一端に入口開口３１ａが形成されている。入口開口３１ａを取り囲む筒部３１ｂが上方へ延びている。容器３１の底部にスリット３１ｄが形成され、スリット３１ｄに隣接して容器３１に切削刃３３が取り付けられている。
容器３１内に回転翼３４が配設されている。回転翼３４は容器３１の中心軸線と同軸に延在する水平軸線回りに回転可能である。回転翼３４を回転駆動するモータ３５が配設されている。スリット３１ｄと切削刃３３とは回転翼３４の径方向外方に位置決めされている。回転翼３４は、図１０で矢印で示す切削刃３３の刃先から峰へ向かう第１回転方向と、図１１で矢印で示す切削刃３３の峰から刃先へ向かう第２回転方向とへ回転可能である。
容器３１の上部に、回転翼３４の第２回転方向に対する接線方向へ差し向けられ、且つ上方へ差し向けられた出口開口３１ｅが形成されている。
削氷機Ｄは、容器３１の外側で出口開口３１ｅから延びる第４案内路３６ａを備えている。第４案内路３６ａの下流端はスリット３１ｄの近傍に位置決めされている。
削氷機Ｄは更に、容器３１の外側でスリット３１ｄと第４案内路３６ａの下流端とに対峙し下方へ延びる第５案内路３６ｂを備えている。
削氷機Ｄは、図示しないカップ自動販売機に取り付けられており、且つ当該カップ自動販売機が備える製氷機１００の直下に配設されている。筒部３１ｂが製氷機１００の氷シュート１０１の下端に対峙している。容器２１の下方に且つ第５案内路３６の直下に紙カップ１０２が置かれる。
【００２５】
削氷機Ｄの作動を、図１２のフローチャートを参照しつつ説明する。
製氷機１００は常時作動して砕氷を製造貯留している。
カップ自動販売機の販売釦がＯＮされると、製氷機１００から砕氷が排出され、氷シュート１０１と筒部３１ｂと入口開口３１ａとを通って砕氷が容器３１内に投入される。
ＯＮされた販売釦がフローズンドリンクの販売釦である場合には、モータ３５が始動して図１０で矢印で示すように回転翼３４を第１方向へ回転駆動する。遠心力により回転翼３４の径方向外方へ押し出されつつ容器３１内を第１方向へ回転する砕氷が切削刃３３によって切削され、スリット３１ｄを通って容器３１の下方に置かれた紙カップ１０２に削氷が投入される。出口開口３１ｅは第１回転方向とは逆向きの接線方向へ指し向けられているので、第１回転方向へ回転する砕氷は出口開口３１ｅを通って容器外へ排出されない。従って砕氷は紙カップ１０２に投入されない。モータ３５は所定時間作動した後停止する。
ＯＮされた販売釦がコールドドリンクの販売釦である場合には、モータ３５が逆方向へ始動して図１１で矢印で示すように回転翼３４を第２方向へ回転駆動する。遠心力により回転翼３４の径方向外方へ押し出されつつ容器３１内を回転する砕氷が切削刃３３によって切削されることなく、第２回転方向に対する接線方向へ差し向けられた出口開口３１ｅを通って、容器３１の下方に置かれた紙カップ１０２に投入される。モータ３５は所定時間作動した後停止する。
【００２６】
上記説明から分かるように、削氷機Ｄは、砕氷を削って製造した削氷を紙カップ１０２に投入できると共に砕氷をそのまま紙カップ１０２に投入することもできる。削氷機Ｄをカップ式自動販売機に取り付けることにより、カップ自動販売機の利便性が向上する。
第４案内路３６ａの配設により、砕氷の排出位置が削氷の排出位置に接近している。この結果、削氷を投入する場合と砕氷を投入する場合とで、紙カップ１０２を置く位置を変える必要が無くなり、カップ自動販売機の利便性が向上する。
容器３１の外側でスリット３１ｄと第４案内路３６ａの下流端とに対峙し下方へ延びる第５案内路３６ｂが配設されているので、砕氷の排出口と削氷の排出口とが一致する。この結果、削氷を投入する場合と砕氷を投入する場合とで、紙カップ１０２を置く位置を変える必要が完全に無くなり、カップ自動販売機の利便性が更に向上する。
切削刃３３とスリット３１ｄとが、容器３１の底部に配設されているので、遠心力と重力とが相乗して砕氷を切削刃３３に押し付ける。この結果、削氷効率が向上する。
出口開口３１ｅが上方へ差し向けられることにより、図１０に示すように回転翼３４が第１方向へ回転する際に、砕氷が出口開口３１ｅを通って容器３１から排出される事態の発生が完全に防止される。
【００２７】
削氷機Ｃにおいて、容器２１を上端が開放した椀状に形成し、容器２１の底部近傍の側部にスリット２１ｄと切削刃２３とを配設し、回転翼２４を鉛直軸線回りに回転させても良い。
削氷機Ｄにおいて、容器３１を上端が開放した椀状に形成し、容器３１の底部近傍の側部にスリット３１ｄと切削刃３３とを配設し、回転翼３４を鉛直軸線回りに回転させ、出口開口３１ｅを容器３１の側部に形成しても良い。この場合には、削氷を紙カップ１０２に投入する際には、適当な蓋を用いて出口開口３１ｅを塞ぐのが望ましい。
削氷機Ａ〜Ｄにおいて、容器１、１１、２１、３１を水平方向へ往復駆動する駆動装置を配設しても良い。
削氷機Ａ〜Ｄにおいて、紙カップ１０２を保持するカップ保持具と当該保持具を水平方向へ往復駆動する駆動装置とを配設しても良い。
削氷を紙カップ１０２に投入する際には、紙カップ１０２に投入された削氷が円錐状に堆積するのを防止するために、容器１、１１、２１、３１又はカップ保持具を水平に往復駆動するのが望ましい。
【００２８】
【発明の効果】
本発明に係る氷削機においては、削氷を製造してカップに投入する際には、蓋が閉鎖され、入口開口から砕氷が容器内に投入され、回転翼が回転し、遠心力により回転翼の径方向外方へ押し出されつつ容器内を回転する砕氷が切削刃によって切削され、スリットを通って容器の下方に置かれたカップに削氷が投入される。砕氷をカップに投入する際には、蓋が開かれ、入口開口から砕氷が容器内に投入され、回転翼が停止し、砕氷は切削されることなく回転翼の翼間隙間と出口開口とを通過し、容器の下方に置かれたカップに投入される。或いは、蓋が開かれ、入口開口から砕氷が容器内に投入され、回転翼が回転し、砕氷は切削されることなく回転翼の翼間隙間と出口開口とを通って、容器の下方に置かれたカップに投入される。
従って、本発明に係る削氷機は、砕氷を削って製造した削氷をカップに投入できると共に砕氷をそのままカップに投入することもできる。
【図面の簡単な説明】
【図１】本発明の第１実施例に係る削氷機の断面図である。
【図２】本発明の第１実施例に係る削氷機の断面図である。
【図３】本発明の第１実施例に係る削氷機の作動のフローチャートである。
【図４】本発明の第２実施例に係る削氷機の断面図である。
【図５】本発明の第２実施例に係る削氷機の断面図である。
【図６】本発明の第２実施例に係る削氷機の作動のフローチャートである。
【図７】本発明の第３実施例に係る削氷機の断面図である。
【図８】本発明の第３実施例に係る削氷機の断面図である。
【図９】本発明の第３実施例に係る削氷機の作動のフローチャートである。
【図１０】本発明の第４実施例に係る削氷機の断面図である。
【図１１】本発明の第４実施例に係る削氷機の断面図である。
【図１２】本発明の第４実施例に係る削氷機の作動のフローチャートである。
【符号の説明】
Ａ、Ｂ、Ｃ、Ｄ  カップ自動販売機の削氷機
１、１１、２１、３１  容器
１ａ、１１ａ、２１ａ、３１ａ  入口開口
１ｃ、１１ｃ、３１ｅ  出口開口
２、１２  蓋
２ａ、１１ｄ、２１ｄ、３１ｄ  スリット
３、１３、２３、３３  切削刃
４、１４、２４、３４  回転翼
５、６、１５、１６、２５、２８、３５  モータ
７、１７、２９ａ、２９ｂ  閉スイッチ
８、１８  開スイッチ
１９  案内板
２６ａ  第１案内路
２６ｂ  第２案内路
２６ｃ  第３案内路
２７  揺動シャッター
３６ａ  第４案内路
３６ｂ  第５案内路
１００  製氷機
１０１  氷シュート
１０２  紙カップ
【図１】
2005042938.tif 000003
【図２】
2005042938.tif 000004
【図３】
2005042938.tif 000005
【図４】
2005042938.tif 000006
【図５】
2005042938.tif 000007
【図６】
2005042938.tif 000008
【図７】
2005042938.tif 000009
【図８】
2005042938.tif 000010
【図９】
2005042938.tif 000011
【図１０】
2005042938.tif 000012
【図１１】
2005042938.tif 000013
【図１２】
2005042938.tif 000014